(57)【要約】  【課題】泡消火原液の吸引量を正確に制御できるようにする。  【解決手段】導水入口３と導水出口５との間に連通する吸引口７と、該吸引口７に連結され、泡消火原液Ｇの吸引量を規制するメタリングコック１５と、を備えた簡易ポンププロポーショナー１であって；前記メタリングコック１５は、前記吸引口７に連結される原液流路１８と、該原液流路１８に連続するコック嵌合部２０とを有するハウジング１７と、前記コック嵌合部２０に回動可能に嵌着される円筒型オリフイス３５と、を備えており、前記コック嵌合部２０には、第１接続口２５と第２接続口２７とが別個に設けられており、前記円筒型オリフイスの円筒部３８には、前記第１接続口と連通可能な第１オリフィス４０と、第２接続口と連通可能な第２オリフィス４２が設けられており、前記コック嵌合部と前記円筒型オリフイスの円筒部との間には、シール手段４４、４５が設けられている。  【選択図】  図１
0003102292.tif 000002
【実用新案登録請求の範囲】
【請求項１】
導水入口と導水出口の間に連通する吸引口と、該吸引口に連結され、泡消火原液の吸引量を規制するメタリングコックと、を備えた簡易ポンププロポーショナーであって；
前記メタリングコックは、前記吸引口に連結される原液流路と、該原液流路に連続するコック嵌合部とを有するハウジングと、前記コック嵌合部に回動可能に嵌着される円筒型オリフイスと、を備えており、
前記嵌合部には、第１接続口と第２接続口とが別個に設けられており、
前記円筒型オリフイスの円筒部には、前記第１接続口と連通可能な第１オリフィスと、第２接続口と連通可能な第２オリフィスが設けられており、
前記コック嵌合部と前記円筒型オリフイスの円筒部との間には、シール手段が設けられていることを特徴とする簡易ポンププロポーショナー。
【請求項２】
前記第１接続口、又は、第２接続口に、閉止栓が着脱されることを特徴とする請求項１記載の簡易ポンププロポーショナー。
【請求項３】
前記シール手段は、Ｏリングを挿入したシールリングであることを特徴とする請求項１記載の簡易ポンププロポーショナー。
【請求項４】
前記第２オリフィスは、円周方向に間隔をおいて配設された、径の異なる複数のオリフイスから構成されていることを特徴とする請求項１記載の簡易ポンププロポーショナー。
【請求項５】
前記円筒型オリフイスの円柱状部後端には、切換表示部が設けられていることを特徴とする請求項１，２，３，又は、４記載の簡易ポンププロポーショナー。
【考案の詳細な説明】
【技術分野】
【０００１】
この考案は、消防車等に用いられるプロポーションナーに関するものであり、特に消防車等に着脱して用いられる簡易ポンププロポーショナーに関するものである
【背景技術】
【０００２】
消防車は、A火災、即ち、木造火災等の一般火災の場合には、消防車に積載されている消防ポンプを駆動し、消火水をノズルから放出させることにより所謂水消火を行っている。
【０００３】
しかし、Ｂ火災、即ち、油火災の場合には、水消火は困難なので、消防車に簡易ポンププロポーショナーを装着し、消火水に３％の泡消火原液を混合することにより、所謂泡消火を行っている。
【０００４】
この簡易ポンププロポーショナーは、消防ポンプの吸引側に接続される導水出口と、導入水が供給される導水入口と、該導水入口から導水出口に流れる水のエジェクター作用により外部から泡消火原液を吸引する吸引口と、を備えたラインプロポーショナーと，一端が消防ポンプの吐き出し側に連結され、他端がラインプロポーショナーの導水入口に連結され、消防ポンプからの吐出水の一部をラインプロポーショナーの導水入口に循環する高圧ホースと，ラインプロポーショナーの吸引口に連結され、エジェクター作用により外部の泡消火原液をラインプロポーショナー内に供給する泡剤ホースと，を備えている（例えば、特許文献１参照）。
【０００５】
【特許文献１】実開平４−７００５２号公報
【０００６】
前述のように、木材、油等の燃焼物の種類を考慮して、水消火と泡消火が使い分けられているが、水消火の場合、ダンボールや発泡スチロール樹脂などのプラスチック類等の所謂深部火災に対しては、散水しても表面張力により撥水されてしまい冷却効果が充分に発揮されないので、完全消火が困難である。
【０００７】
そこで、消火水の冷却効果を充分に発揮させるために、消火水に微量、例えば、0.１〜0.3％の泡消火原液を混合し、Ａ火災の可燃物に対する濡れ性を向上させることが考えられる。
そして、この泡消火原液の吸引量の調整は、メタリングコックの開度を調整することによって行うことが考えられる。
【考案の開示】
【考案が解決しようとする課題】
【０００８】
従来例のメタリングコックでは、ハウジング内に設けられた回転体を回すことにより、泡消火原液の流量を調整しているが、ハウジングと回転体間の隙間からの漏れなど、構造上の問題があり、正確に微量調整を行うことが困難である。泡消火、即ち、泡消火原液３％混合の場合には、泡消火原液が少し位多く供給されても特に問題にならないが、微量、即ち、0.1〜0.3％混合の場合には、設計通りの流量にすることはきわめて重要となる。
【０００９】
この考案は、上記事情に鑑み、泡消火原液の吸引量を正確に制御できるようにすることを目的とする。
【課題を解決するための手段】
【００１０】
この考案は、導水入口と導水出口との間に連通する吸引口と、該吸引口に連結され、泡消火原液の吸引量を規制するメタリングコックと、を備えた簡易ポンププロポーショナーであって；前記メタリングコックは、前記吸引口に連結される原液流路と、該原液流路に連続するコック嵌合部とを有するハウジングと、前記コック嵌合部に回動可能に嵌着される円筒型オリフイスと、を備えており、前記コック嵌合部には、第１接続口と第２接続口とが別個に設けられており、前記円筒型オリフイスの円筒部には、前記第１接続口と連通可能な第１オリフィスと、第２接続口と連通可能な第２オリフィスが設けられており、前記コック嵌合部と前記円筒型オリフイスの円筒部との間には、シール手段が設けられていることを特徴とする。
【００１１】
この考案の前記第１接続口、又は、第２接続口は、閉止栓により閉鎖されることを特徴とする。この考案のシール手段は、Ｏリングを挿入したシールリングであることを特徴とする。この考案の第２オリフィスは、円周方向に間隔をおいて配設された、径の異なる複数のオリフイスから構成されていることを特徴とする。この考案の円筒型オリフイスの円柱状部後端には、切換表示部が設けられていることを特徴とする。
【考案の効果】
【００１２】
この考案のメタリングコックは、前記吸引口に連結される原液流路と、該原液流路に連続するコック嵌合部とを有するハウジングと、前記コック嵌合部に回動可能に嵌着される円筒型オリフイスと、を備えており、前記嵌合部には、第１接続口と第２接続口とが別個に設けられており、前記円筒型オリフイスの円筒部には、前記第１接続口と連通可能な第１オリフィスと、第２接続口と連通可能な第２オリフィスが設けられており、前記コック嵌合部と前記円筒型オリフイスの円筒部との間には、シール手段が設けられているので、微量の泡消火原液でも正確に吸引することができる。そのため、設計通りの割合の泡消火原液0.1〜0.3％、を消火水に混合することができる。
【００１３】
第１接続口と第２接続口とが別個に設けられているので、タンクに挿入されているピックアップチューブを、第１接続口に接続すると、泡消火原液３％混合ができ、又、第２接続口に接続すると、泡消火原液0.1〜0.3％混合を正確に行うことができる。
【考案を実施するための最良の形態】
【００１４】
この考案の実施の形態を図１〜図５により説明する。
簡易ポンププロポーショナー１は、図５に示すように、ノズル２を内蔵する導水入口３と、該導水入口３と連通する導水出口５と、前記両口３，５との間に連通する吸引口７とを備えている。
【００１５】
導水入口３は、導水ホース９に接続され、該導水ホース９の先端には、ジョイント１０の付いた給水口１１が設けられている。前記導水出口５には、ジョイント１３が設けられている。前記吸引口７には、エルボ継手１４を介してメタリングコック１５が連結されている。
【００１６】
メタリングコック１５のハウジング１７には、原液流路１８と、該原液流路１８に連続するコック嵌合部２０とが設けられている。前記コック嵌合部２０には、第１連通穴２１と第２連通穴２３とが直径方向に対向して設けられている。第１連通穴２１の直径は、第２連通穴２３のそれよりも大きく形成されている。
【００１７】
前記連通穴２１は、泡消火３％用接続口（「第１接続口」という）２５に連通し、また、連通穴２３は、クラスＡ消火剤用接続口（「第２接続口」という）２６に連通している。両接続口２５、２７は、同径であり、かつ、連通穴２１、２３の径より大径に形成されており、その内周面には、ねじ部２８、２９が設けられている。
【００１８】
前記接続口２５、２７の所定位置には、混合比設定用マーク３０、３１が設けられているが、このマーク３０、３１は共に円筒型オリフィス３５の切換表示部３６側に設けられている。前記マーク３０は、泡消火３％用のマークであり、例えば、該マーク３０として赤色の凹部が用いられる。  又、前記マーク３１は、クラスＡ消火剤用のマークであり、該マーク３１として、例えば、青色の凹部が用いられる。
【００１９】
コック嵌合部２０には、円筒型オリフイス３５が回動可能に嵌着されている。この円筒型オリフイス３５は、円筒部３８と円柱状部３９とを備えている。
前記円筒部３８には、大きさの異なるオリフイスが円周方向に間隔をおいて複数設けられている。第１オリフイス４０は、標準、即ち、泡消火原液３％用のオリフイスであり、直径５mm〜６mmに形成されている。
【００２０】
このオリフイス４０は、円筒型オリフイス３５を時計方向に所定角度、例えば、時計方向に４５度回転させると、カッチと音がし、切換表示部３６の閉と一致していた混合比設定用マーク３０が、３％泡に一致するので、該オリフイス４０が全開し、第１連通穴２１に連通する。前記オリフイス４０を閉じる場合には、前記円筒型オリフイス３５を前記と逆方向に回転させるが、元の閉位置に戻ると、カッチと音がし、それ以上回転できなくなる。
【００２１】
第２オリフイス４２は、微量、即ち、泡消火原液0.1〜0.3％用のオリフイスであり、直径１.0mm〜2.3mmに形成されている。この第２オリフイス４２は、放水口５６に接続する放水ノズル６０の放水量（ノズル流量）にそれぞれ対応する、口径の異なる３つのオリフイスI、II、IIIから構成されている。
オリフイスIの対応するノズル流量は５０〜５００Ｌ/min.、 オリフイスIIの対応するノズル流量は４５０〜１２００Ｌ/min.、オリフイスIIIの対応するノズル流量１０００〜２０００Ｌ/min.に設定されている。前記オリフイス４２の口径（直径）は、I、II、IIIの順で大きくなっている。
【００２２】
閉状態の円筒型オリフイス３５を所定方向に回転させると、前記各オリフイスが全開する位置に到達する毎に、「カッチ」と音がし、該オリフイスは第２連通穴２３に連通する。この全部のオリフイスを閉じる場合には、該円筒型オリフイス３５を前記と逆方向に回転させるが、元の閉位置に戻ると、「カッチ」と音がし、それ以上回転できなくなる。
なお、前記連通穴２１の径は、第１オリフイス４０の径より大きく、又、前記連通穴２３の径は、第２オリフイス４２の径より大きく形成されている。
【００２３】
円筒型オリフイス３５の円柱状部３９の後端部には、切換表示部３６が設けられている。この表示部３６には、泡消火３％用の「閉、泡３％」（赤色）、クラスＡ消火剤用の「III、II、I、閉」（青色）が表示されている。この泡消火３％用の「泡３％」の表示は、泡消火原液３％全開を示す。
又、クラスＡ消火剤用の「III、II、I、閉」表示中のIは、前記放水ノズル６０の放水流量範囲を示し、Iはノズル流量は５０〜５００Ｌ/min.、IIは４５０〜１２００Ｌ/min.、IIIは１０００〜２０００Ｌ/min.に対応している。
なお、切換表示部３６近傍の見やすい場所には、前記I、II、IIIとノズル流量との関係を示す表示板が設けられている。
【００２４】
円筒型オリフイス３５の円筒部３８とコック嵌合部２０との間には、隙間が設けられているが、この隙間には、シール手段が設けられている。このシール手段として、シールリング４４が用いられているが、その連通穴２３側の端面には、０リング４５が挿入されている。
【００２５】
なお、図において、４７はパッキン、４８は原液流路１８内に挿入された逆止弁ボール、４９は第１接続口２５又は第２接続口２７に螺着される閉止栓、５０は摺動ボール継手、５１はチューブ固定筒５２を接続口に固定する止めナット、５３は一端がチューブ固定筒５２に連結され、他端がピックアップ５４に接続されているピックアップチューブ、５５は吸管、５６は放口、５８は消防ポンプ、６０はノズル、をそれぞれ示す。
【００２６】
次に、本実施の形態の作動について説明する。
ノズル流量４５０〜１２００Ｌ/min.に対応する泡消火原液を吸引する場合：
第２接続口２７にチューブ固定筒５２を挿入し、止めナット５１で締め付け固定する。第１接続口２５に閉止栓４９を螺着し、該接続口２５を閉鎖する。
円筒型オリフイス３５を回転させ、切換表示部３６のIIを混合比設定用マーク３１に合わせる。
【００２７】
導水ホース９の給水口１１と、消防ポンプ５８の吐き出し側の放口５６ａと、をジョイント１０で連結し、又、導水出口５と消防ポンプ５８の吸い込み側の中継口６１と、をジョイント１３で連結する。
次に、ピックアップチューブ５３の先端をタンク６３に挿入し、ピックアップ５４を泡消火原液Ｇ内に入れる。
【００２８】
消防ポンプ５８を駆動すると、吸管５５から消火水Ｗが吸い込まれる。このポンプ５８の吸い込み側に吸い込まれた消火水Ｗは、吐き出し側に吐き出され、放水ノズル６０から放出される。
【００２９】
この時、吐き出し側の消火水Ｗは、給水口１１，導水ホース９，導水入口３、ノズル２、導水出口５、中継口６１を介して吸い込み側に流入するので、エジェクター作用が発生する。そのため、タンク６３内の泡消火原液Ｇは、ピックアップ５４，ピックアップチューブ５３、第２連通穴２３、オリフイスII、原液流路１８を通って、吸引口７から消火水Ｗ内に吸引される。
【００３０】
ハウジング１７のコック嵌合部１４と円筒型オリフイス３５の円筒部３８との隙間には、シール手段（Ｏリング４５を挿入したシールリング４４）が設けられているので、この隙間から泡消火原液Ｇが原液流路１８内に漏出することはない。そのため、吸引される泡消火原液Ｇの流量を設計通り正確に制御することができる。
【００３１】
吸引口７から消火水Ｗ内に流入した泡消火原液Ｇは、消火水Ｗと混合して混合水ＷＧとなり、吸い込み側から吐き出し側に圧送され、放水ノズル６０から燃焼物に向かって放出される。この時の混合比、即ち、ノズル流量に対する泡消火原液Ｇの混合割合は、0.2％となっている。
【００３２】
なお、円筒型オリフイス３５を回転させ、切換表示部３６のIを混合比設定用マーク３１に一致させると、５０〜０Ｌ/min．のノズル流量に対応した前記泡消火原液が吸引されて、前記混合割合が0.1％の混合水となり、又、該切換表示部３６のIIIを混合比設定用マーク３１に一致させると、1000〜2000Ｌ/min．のノズル流量に対応した前記泡消火原液が吸引されて、前記混合割合が0.3％の混合水となる。
【００３３】
泡消火原液３％を吸引する場合：
第１接続口２５にチューブ固定筒５２を挿入し、止めナット５１で締め付け固定する。第１接続口２７に閉止栓４９を螺着し、閉鎖する。
円筒型オリフイス３５を回転させ、切換表示部３６の３％泡に混合比設定用マーク３０に合わせる。
【００３４】
以後の操作等は、前記「ノズル流量４５０〜１２００Ｌ/min.に対応する泡消火原液を吸引する場合」と同様の要領であるので、説明を省略する。
【図面の簡単な説明】
【００３５】
【図１】本考案の実施の形態を示す図で、「ノズル流量４５０〜１２００Ｌ/min.に対応する泡消火原液を吸引する場合」のメタリングコックの縦断面図である。
【図２】メタリングコックの側面の一部を示す図で、切換表示部を示す図である。
【図３】簡易ポンププロポーショナーのフローチャートである。
【図４】泡消火原液3％吸引する場合のメタリングコックの縦断面図である。
【図５】簡易ポンププロポーショナーの部品図である。
【符号の説明】
【００３６】
１    簡易ポンププロポーショナー
３    導水入口
５    導水出口
７    吸引口
１５  メタリングコック
１７  ハウジング
１８  原液流路
２０  コック嵌合部
２５  第１接続口
２７  第２接続口
３５  円筒型オリフイス
３８  円筒部
４０  第１オリフイス
４２  第２オリフイス
４４  シールリング
４５  Ｏリング
Ｗ    消火水
Ｇ    泡消火原液
ＷＧ  混合水
【図１】
0003102292.tif 000003
【図２】
0003102292.tif 000004
【図３】
0003102292.tif 000005
【図４】
0003102292.tif 000006
【図５】
0003102292.tif 000007